(57)【要約】【課題】ＥＰＧの放送時間が変更になった場合でもＥＰＧを受信でき、ユーザに最新のＥＰＧを提供できるアナログ放送受信装置を提供することである。【解決手段】アナログ放送受信装置を備えたＤＶＤレコーダ１０は、テレビ放送電波を受信する受信部１１と、テレビ放送電波のＶＢＩからＥＰＧデータを取り出すＥＰＧ抽出部１４と、ＥＰＧ抽出部１４の駆動開始時刻を記憶するＲＯＭと、各部を制御する制御部１６とを備え、ＥＰＧ抽出部１４の駆動開始時刻を所望の時刻に変更することを促す画面を出力し、所望の時刻が入力されると、変更前の駆動開始時刻を消去して変更後の駆動開始時刻を記憶し、変更後の駆動開始時刻を経過した後は、変更後の駆動開始時刻を消去して変更前の駆動開始時刻を記憶する構成とする。【選択図】図１
2007214693.tif 000002
【特許請求の範囲】
【請求項１】
テレビ放送電波を受信する受信部と、テレビ放送電波のＶＢＩからＥＰＧデータを取り出すＥＰＧ抽出部と、該ＥＰＧ抽出部の駆動開始時刻を記憶するＲＯＭと、各部を制御する制御部とを有するアナログ放送受信装置を備えたＤＶＤレコーダにおいて、
前記駆動開始時刻を所望の時刻に変更することを促す画面を出力し、所望の時刻が入力されると、変更前の駆動開始時刻を消去して変更後の駆動開始時刻を記憶し、前記変更後の駆動開始時刻を経過した後は、前記変更後の駆動開始時刻を消去して前記変更前の駆動開始時刻を記憶することを特徴とするＤＶＤレコーダ。
【請求項２】
テレビ放送電波を受信する受信部と、テレビ放送電波のＶＢＩからＥＰＧデータを取り出すＥＰＧ抽出部と、該ＥＰＧ抽出部の駆動開始時刻を記憶する記憶部と、各部を制御する制御部とを備えたアナログ放送受信装置において、
前記駆動開始時刻を所望の時刻に変更可能であることを特徴とするアナログ放送受信装置。
【請求項３】
変更後の前記駆動開始時刻は１回限り有効であることを特徴とする請求項２記載のアナログ放送受信装置。
【発明の詳細な説明】
【技術分野】
【０００１】
本発明は、ＥＰＧを利用したアナログ放送受信装置及びそれを備えたＤＶＤレコーダに関するものである。
【背景技術】
【０００２】
従来、地上アナログ放送の放送電波に文字信号を重畳させ、放送する番組のジャンルや放送時間などに関するＥＰＧ（電子番組表：Electronic Program Guide）を送信する技術が普及している。このＥＰＧは、テレビ放送受信装置等の放送受信装置により取り出され、テレビ画面に番組表として表示させることにより、視聴者の好みに合わせた番組の検索を行うことができる。この放送受信装置は、ビデオテープレコーダ、ＤＶＤレコーダ、ＨＤＤレコーダ等にも搭載されている。
【０００３】
図７は、ＥＰＧをテレビ画面に表示させるためのＧガイドシステム１００のシステム構成を示す概略図である。Ｇガイドシステム１００は、送信側において、放送事業者により作成された番組案内情報を所定のファイル形式に変換し、圧縮、暗号化した後、テレビ放送電波のＶＢＩ（垂直帰線消去時間：Vertical Blanking Interval）に文字信号を挿入して編成し、送出装置から各放送受信装置へ送信する。一方、受信側は、放送受信装置によりテレビ放送電波を受信してＶＢＩから文字信号をデータとして取り出し、このデータを一旦メモリ等に格納した後、データの復号化、伸長を行って、上述した所定のファイルを取り出して、テレビ画面に番組表として表示させる。
【０００４】
ところでＥＰＧの受信については様々な提案がなされている。例えば特許文献１には、データ受信を行う時刻になったときに、ユーザがデータを受信できない映像を視聴している場合、データ受信を行う時刻を変更するディジタル放送受信端末装置が開示されている。
【０００５】
また特許文献２には、地域番号が設定されると、対応する受信開始時刻を設定し、受信開始時刻の前後一定時間は待機動作を行う受信装置が開示されている。
【０００６】
また特許文献３には、使用者が希望するタイミングでＥＰＧを更新したり、一定時間毎にＥＰＧを更新したりする電子プログラムガイド表示更新方式が開示されている。
【０００７】
また特許文献４には、デジタル放送受信装置が開示されている。この文献によれば、ユーザに提示するＥＰＧ取得設定メニューとして、ユーザが番組情報の取得条件の設定を行うＥＰＧ取得設定画面をモニタに表示する。ＥＰＧ取得設定画面でのユーザの選択肢として、１チャンネルあたりの取得時間を指定する「時間設定」、または、番組の種類を指定する「番組種類設定」を選択できるように表示する。ユーザが、「時間設定」、あるいは、「番組種類設定」を選択すると、ＥＰＧデータ取得画面を表示して、指定された所得時間、あるいは、指定された番組の種類により受信可能な全てのチャンネルの番組情報を取得する。
【特許文献１】特開平１１−２３４６４５号公報
【特許文献２】特開２００５−１６８０４６号公報
【特許文献３】特開２００１−４５３９７号公報
【特許文献４】特開２００４−３３６６４９号公報
【発明の開示】
【発明が解決しようとする課題】
【０００８】
上記の特許文献１〜４はデジタル放送のＥＰＧに関するものである。デジタル放送では、各々のチャンネルに対応する画像データや音声データと共に、ＥＰＧが伝送されるが、地上アナログ放送では、各チャンネルの番組表をまとめて、特定のテレビ放送電波のＶＢＩを使用してＥＰＧが伝送される。この点でデジタル放送とアナログ放送とではＥＰＧを利用する受信機側の技術も異なる。
【０００９】
アナログ放送のＥＰＧ、例えば上記のＧガイドシステム１００では、ＥＰＧの放送時間が決まっている。例えば関西では、６：０５、１１：０５、１４：３５、１７：３５、１：４５となっている。しかし、これらの放送時間は放送局の都合により変更になる場合がある。この変更がある場合は事前に新聞などの媒体で知らされる。
【００１０】
例えば、１４：３５の放送時間が１５：００に変更になったとすると、一般的なアナログ放送受信装置では、１４：３５にＥＰＧを受信しようと試みて失敗し、変更になった１５：００には受信しない。プログラムで１４：３５に受信するように設定されており、この設定は変更できないからである。その結果、１１：０５から１７：３５までは１１：０５に受信したＥＰＧが表示されることになり、ユーザは１５：００から１７：３５までは最新のＥＰＧを利用することがでず、ＥＰＧを有効に利用しているとは言えない。
【００１１】
本発明は、ＥＰＧの放送時間が変更になった場合でもＥＰＧを受信でき、ユーザに最新のＥＰＧを提供できるアナログ放送受信装置を提供することを目的とする。また、このアナログ放送受信装置を備えたＤＶＤレコーダを提供することも目的とする。
【課題を解決するための手段】
【００１２】
上記目的を達成するために本発明は、テレビ放送電波を受信する受信部と、テレビ放送電波のＶＢＩからＥＰＧデータを取り出すＥＰＧ抽出部と、該ＥＰＧ抽出部の駆動開始時刻を記憶する記憶部と、各部を制御する制御部とを備えたアナログ放送受信装置において、
前記駆動開始時刻を所望の時刻に変更可能であることを特徴とする。
【００１３】
この構成によると、ＥＰＧの放送時間が変更になった場合に、ユーザがＥＰＧ抽出部の駆動開始時刻を変更することにより、変更後の時刻にＥＰＧを受信することができる。
【００１４】
上記アナログ放送受信装置において、変更後の前記駆動開始時刻は１回限り有効であることを特徴とする。
【００１５】
この構成によると、翌日には変更前の通常のＥＰＧ放送時間にＥＰＧが送出されるので、それを正常に受信することができる。
【００１６】
上記の本発明を具体化すると、テレビ放送電波を受信する受信部と、テレビ放送電波のＶＢＩからＥＰＧデータを取り出すＥＰＧ抽出部と、該ＥＰＧ抽出部の駆動開始時刻を記憶するＲＯＭと、各部を制御する制御部とを有するアナログ放送受信装置を備えたＤＶＤレコーダにおいて、
前記駆動開始時刻を所望の時刻に変更することを促す画面を出力し、所望の時刻が入力されると、変更前の駆動開始時刻を消去して変更後の駆動開始時刻を記憶し、前記変更後の駆動開始時刻を経過した後は、前記変更後の駆動開始時刻を消去して前記変更前の駆動開始時刻を記憶する構成となる。
【発明の効果】
【００１７】
本発明によれば、ＥＰＧの放送時間が変更になった場合でもユーザがＥＰＧの受信時刻を手動で変更することでＥＰＧを受信でき、ユーザは最新のＥＰＧを利用することができる。
【発明を実施するための最良の形態】
【００１８】
以下、アナログ放送受信装置を搭載したＤＶＤレコーダを例に説明する。図１は、ＤＶＤレコーダの構成を示すブロック図、図２は、図１のＥＰＧ抽出部及び制御部の構成を示すブロック図である。なお、図１及び図２は、本発明に必要な構成のみを示し、説明が不要なその他の構成は省略してある。ＤＶＤレコーダ１０は、受信部１１、音声検波回路１２、映像検波回路１３、ＥＰＧ抽出部１４、ＤＶＤ記録再生部１５、制御部１６、音声出力端子１７、映像出力端子１８、受光部１９、リモコン２０等から構成されている。
【００１９】
受信部１１は、アンテナ１１ａを備え、放送局から送られてくる放送電波をアンテナ１１ａにより受信し、その中から所望の放送番組を選局して受信するチューナとしての機能を有している。受信部１１は、受信した放送電波のうち映像信号及び音声信号を抽出して、映像信号及び音声信号をそれぞれ映像検波回路１３及び音声検波回路１２に出力する。また、受信部１１は、放送電波に重畳された文字信号を抽出するためのＥＰＧ抽出部１４へ放送電波を出力する。
【００２０】
音声検波回路１２は、受信部１１から入力された映像信号及び音声信号のうち音声信号を検波して、この音声信号を増幅回路（不図示）により増幅して音声出力端子１７から出力する。音声出力端子１７はテレビ放送受信装置等のスピーカ（不図示）に接続されている。
【００２１】
映像検波回路１３は、受信部１１から入力された映像信号及び音声信号のうち映像信号を検波して、この映像信号を増幅回路（不図示）により増幅して映像出力端子１８から出力する。映像出力端子１７はテレビ放送受信装置等のモニタ（不図示）に接続されている。
【００２２】
ＥＰＧ抽出部１４は、放送電波に重畳して送出される文字信号を抽出して、ＥＰＧを取得する。ここで、ＥＰＧには、番組の番組名、放送日、番組開始時間、番組終了時間、予約コード、チャンネル、ジャンル等の情報が２週間分程度含まれており、これらの情報がＥＰＧ記憶部（図２参照）に記憶される。
【００２３】
ＤＶＤ記録再生部１５は、受信した放送番組を挿入されたＤＶＤに記録したり、ＤＶＤに記録されたデータを再生したりする。
【００２４】
制御部１６は、リモコン１９から送出された選局操作やモード選択操作等が受光部１８を介して入力されると、システムプログラムや制御プログラムに従ってＤＶＤレコーダ１０の各部を駆動制御する。
【００２５】
図２を参照してＥＰＧ抽出部１４及び制御部１６について詳細に説明する。図２に示すように、ＥＰＧ抽出部１４は、データ取込回路１４ａ、バッファメモリ１４ｂ、ＥＰＧ記憶部１４ｃ、出力ＩＦ１４ｄ等から構成されている。また制御部１６は、ＣＰＵ（Central Processing Unit）１６ａ、ＲＯＭ（Read Only Memory）１６ｂ及びＲＡＭ（Random Access Memory）１６ｃからなる記憶部、入力ＩＦ１６ｄ等から構成されている。そして、ＥＰＧ抽出部１４の各部及び制御部１６の各部はバス１６ｅにより接続されている。
【００２６】
データ取込回路１４ａは、受信部１１から入力された映像信号からそのＶＢＩに挿入されたＥＰＧデータである文字信号を抽出して、この文字信号に対して同期再生及び誤り訂正を行った後、バッファメモリ１４ｂに一時的に記憶する。バッファメモリ１４ｂは、ＣＰＵ１６ａの制御に応じて、蓄積されたＥＰＧデータをページ単位でＥＰＧ記憶部１４ｃへ出力する。
【００２７】
ＥＰＧ記憶部１４ｃは、バッファメモリ１４ｂからページ単位で転送されるＥＰＧデータを記憶し、ＣＰＵ１６ａの制御により、送信側の送出装置からＥＰＧが送出される時刻になるとＥＰＧを更新して記憶する。出力ＩＦ１４は、ＥＰＧ記憶部１４ｃから読み出されるＥＰＧをモニタへ出力する。
【００２８】
ＣＰＵ１６ａは、ＲＯＭ１６ｂに記憶されている制御プログラム及びＲＡＭ１６ｃに記憶されている制御データにより動作する。ＣＰＵ１６ａは、データ取込回路１４ａにおける文字信号のタイミング制御及びデータ取込回路１４ａからバッファメモリ１４ｂへのデータ転送を制御する。また、ＣＰＵ１６ａは、バッファメモリ１４ｂに一時的に記憶させたＥＰＧデータをページ単位でＥＰＧ記憶部１４ｃに転送して記憶させる。
【００２９】
ＣＰＵ１６ａは、送信側の送出装置からＥＰＧが送出される時刻になると、ＥＰＧ抽出部１４を制御して新たなＥＰＧデータを取得させる。これによりＥＰＧ記憶部１４ｃに記憶させたＥＰＧを更新することができる。
【００３０】
また、ＣＰＵ１６ａは、リモコン１９からＥＰＧの表示指示が入力されると、ＥＰＧ記憶部１４ｃからＥＰＧを読み出し、出力ＩＦ１４ｄからＥＰＧを出力し、モニタにＥＰＧを表示させる。
【００３１】
入力ＩＦ１６ｄは、受光部１８を介して入力される操作指示をＣＰＵ１６ａへ出力する。
【００３２】
また、制御部１６は、ＥＰＧを受信する時刻をユーザが変更することができるＥＰＧ受信時刻設定モードの制御も行う。以下にＥＰＧ受信時刻設定モードについて説明する。図３は、ＥＰＧ受信時刻設定モードにおけるＤＶＤレコーダ１０の動作を示すフローチャートである。ここでは、関西のＧガイドシステムを例に説明する。
【００３３】
ユーザが、ＥＰＧの放送時間の変更があることを新聞等の媒体から知ったとき、それに応じてＥＰＧを受信する時刻を変更する場合は、リモコン２０等を操作してメニュー画面からＥＰＧ受信時刻設定モードを選択する。そうすると、ＤＶＤレコーダ１０はＥＰＧ受信時刻設定モードを起動し、ステップＳ１０においてＲＯＭ１６ｂからＥＰＧ受信時刻を読み出し、ＥＰＧ受信時刻設定画面を出力してモニタに表示させる。図４に、ＥＰＧ受信時刻設定画面の一例を示す。画面３０には、ＥＰＧ抽出部１４を駆動させてＥＰＧを抽出開始する時刻（ＥＰＧの放送時間）と、各時刻を選択するためのカーソル３１とを表示し、変更する時刻をカーソル３１で選択するよう促す。
【００３４】
そしてステップＳ１０からステップＳ１１へ進んで、変更する時刻が選択されたか否かを判定する。ユーザが変更する時刻にカーソル３１を合わせて決定キーを押下（不図示）すると、ステップＳ１１からステップＳ１２へ進んでＤＶＤレコーダ１０は入力受付画面を出力してモニタに表示させる。図５に、入力受付画面４０の一例を示す。図５は１４：３５の受信時刻が選択された場合の例である。画面４０には、変更前のＥＰＧ受信時刻と、選択された時刻を変更するための空欄４１とを表示し、変更する時刻を空欄４１に入力するよう促す。
【００３５】
次にステップＳ１２からステップＳ１３へ進んで、変更後の時刻が入力されたか否かを判定する。ユーザが空欄４１に変更後の時刻を入力して決定キーを押下すると、ステップＳ１３からステップＳ１４へ進んでＤＶＤレコーダ１０は変更後のＥＰＧ受信時刻の一覧を出力してモニタに表示させる。図６に、変更後のＥＰＧ受信時刻の一覧画面５０の一例を示す。図６は１４：３５の受信時刻が１５：００に変更された場合の例である。画面５０では、変更前の画面３０の１４：３５の受信時刻が１５：００に変更されて表示されている。
【００３６】
次にステップＳ１４からステップＳ１５へ進んでＲＯＭ１６ｂに記憶されているＥＰＧ受信時刻を変更後の受信時刻に更新し、ＥＰＧ受信時刻設定モードを終了する。これにより、変更前の受信時刻（１４：３５）に替えて変更後の受信時刻（１５：００）にＥＰＧが受信される。
【００３７】
その後、変更後の受信時刻を経過すると、ＲＯＭ１６ｂに記憶されている変更後のＥＰＧ受信時刻を変更前の受信時刻に戻す。つまり、変更後のＥＰＧ受信時刻は１回限り有効とする。翌日には変更前の通常のＥＰＧ放送時間にＥＰＧが送出されるので、それを正常に受信するためである。
【００３８】
上記の実施形態によると、ＥＰＧの放送時間が変更になった場合でもユーザがＥＰＧの受信時刻を手動で変更することでＥＰＧを受信でき、ユーザは最新のＥＰＧを利用することができる。
【産業上の利用可能性】
【００３９】
本発明の放送受信装置は、テレビ放送受信装置をはじめ、ビデオテープレコーダ、ＤＶＤレコーダ、ＨＤＤレコーダ等やそれらの複合機に搭載することができる。
【図面の簡単な説明】
【００４０】
【図１】本発明のＤＶＤレコーダの構成を示すブロック図である。
【図２】本発明の図１のＥＰＧ抽出部及び制御部の構成を示すブロック図である。
【図３】本発明のＥＰＧ受信時刻設定モードにおけるＤＶＤレコーダの動作を示すフローチャートである。
【図４】本発明のＥＰＧ受信時刻設定画面の一例を示す図である。
【図５】本発明の入力受付画面の一例を示す図である。
【図６】本発明の変更後のＥＰＧ受信時刻の一覧画面の一例を示す図である。
【図７】従来のＧガイドシステムのシステム構成を示す概略図である。
【符号の説明】
【００４１】
１０    ＤＶＤレコーダ
１１    受信部
１４    ＥＰＧ抽出部
１６    制御部
１６ｂ    ＲＯＭ
【図１】
2007214693.tif 000003
【図２】
2007214693.tif 000004
【図３】
2007214693.tif 000005
【図４】
2007214693.tif 000006
【図５】
2007214693.tif 000007
【図６】
2007214693.tif 000008
【図７】
2007214693.tif 000009